(57)【特許請求の範囲】
【請求項１】
回転する車輪を備えた車両の移動に影響を及ぼす装置であって、
上記回転する車輪が乗り越えるように、上記車両の進路に配置されるように形成されたハウジングと、
収縮配置から展開配置まで引き出されるように形成されている膜部であって、この膜部は、上記収縮配置においては上記ハウジング内に配置され、そして、上記展開配置においては上記車輪の周りに巻きつくように形成され、この膜部がネットを備えている、上記膜部と、
上記膜部に連結され、上記膜部の上記収縮配置において上記車輪を引掛けるように形成されている引っ掛け部材と、
上記引掛け部材を収縮配置から展開配置まで展開させるように形成されたアクチュエータであって、上記引掛け部材は、上記収縮配置において上記ハウジング内にほぼ収納され且つ上記アクチュエータの作動により上記展開配置において上記ハウジングから延ばされている、アクチュエータと、
を有することを特徴とする上記装置。
【請求項２】
上記引掛け部材は、上記膜部の上記収縮配置において上記ハウジング内に配置されている請求項１に記載の装置。
【請求項３】
上記アクチュエータは、空気アクチュエータ、火工アクチュエータ、電気アクチュエータ及び弾性的に付勢されるアクチュエータの少なくとも１つを備える、請求項１に記載の装置。
【請求項４】
上記ハウジングは、上記ハウジングの内側を閉じる閉鎖配置と上記ハウジングの内側を露出させる開放配置との間で移動する少なくとも１つのカバーを備え、上記引掛け部材は、上記閉鎖配置において上記カバーによって隠され、且つ上記開放配置において露出されている、請求項１に記載の装置。
【請求項５】
上記ハウジングは、壊れやすいシーム部を備え、上記引掛け部材は、壊れやすいシーム部を貫通する、請求項１に記載の装置。
【請求項６】
上記膜部は上記収縮配置において折り重ねられている請求項１に記載の装置。
【請求項７】
上記引掛け部材は、上記膜部を上記収縮配置から上記展開配置まで折り広げるように上記膜部に連結されている請求項６に記載の装置。
【請求項８】
上記引掛け部材は、逆とげ、スパイク及び釘の少なくとも１つを備える請求項１に記載の装置。
【請求項９】
第１回転車輪及び第２回転車輪を含む車両の移動に影響を及ぼすためのシステムであって、
上記第１回転車輪及び上記第２回転車輪が乗り越えるように、上記車両の進路に配置されるように形成されたハウジングと、
収縮配置及び展開配置を有する第１膜部及び第２膜部であって、上記第１膜部及び上記第２膜部は、ネットを備え、上記第１膜部は、上記収縮配置において上記ハウジング内に配置され、そして、上記展開配置において上記第１車輪の周りに巻きつくように形成され、上記第２膜部は、上記収縮配置において上記ハウジング内に配置され、そして、上記展開配置において上記第２車輪の周りに巻きつくように形成された、上記第１膜部及び上記第２膜部と、
上記第１膜部及び上記第２膜部にそれぞれに連結された第１セットの引っ掛け部材と第２セットの引っ掛け部材であって、個々のセットの引っ掛け部材は、上記収縮配置及び上記展開配置の間で上記ハウジングから、個々の膜部を引き出すように形成された上記第１セットの引っ掛け部材と上記第２セットの引っ掛け部材と、
個々の引っ掛け部材が上記ハウジングによってほぼ隠されている安全配置から、個々の引っ掛け部材が上記ハウジングの外側へ露出される武装配置まで個々のセットの引っ掛け部材を展開させるように形成されている機構と、
を有することを特徴とする上記システム。
【請求項１０】
更に、上記機構に連結されたコントローラを備え、上記コントローラは、信号を上記機構に提供して、個々のセットの引っ掛け部材を、上記安全配置から上記武装配置まで移動させる請求項９に記載のシステム。
【請求項１１】
上記コントローラは、上記車両を検出するように形成されるセンサーを備える請求項１０に記載のシステム。
【請求項１２】
上記センサーは、上記ハウジング以外の場所に移されている請求項１１に記載のシステム。
【請求項１３】
上記ハウジングは、上記車両の進路内に配置されたスピードバンプとして設けられている請求項９に記載のシステム。
【請求項１４】
回転する車輪を含む車両の移動に影響を及ぼす方法であって、
上記回転する車輪が乗り越えるように、上記車両の進路にハウジングを配置するステップであって、上記ハウジングは膜部を収縮し、この膜部はネットと上記膜部に連結された引掛け部材とを備えている上記配置するステップと、
上記引掛け部材を上記ハウジングに対して展開させるステップと、
上記引掛け部材を上記回転する車輪と係合させるステップと、
上記膜部を上記ハウジングから引き出させるステップと、
上記膜部を上記回転する車輪の周りに絡ませるステップとを備える、上記方法。
【請求項１５】
更に、上記膜部を上記ハウジング内の収縮配置から上記回転する車輪に絡ませられる展開配置まで引き出すステップを備える、請求項１４に記載の方法。
【請求項１６】
上記引掛け部材を展開させるステップは、上記引掛け部材を、上記ハウジング内側から、上記引掛け部材の少なくとも一部が上記ハウジングの外側にあるところまで移動するステップを備える、請求項１４に記載の方法。
【請求項１７】
上記引掛け部材を展開させるステップは、上記ハウジングに設けられたカバーを開放するステップを備える、請求項１４に記載の方法。
【請求項１８】
更に、上記車両を検出するステップと、上記車両を検出するステップに応答して上記引掛け部材を展開させるステップとを備える、請求項１４に記載の方法。
【請求項１９】
更に、上記膜部を１つのパッケージに形成するステップと、
上記ハウジング内に上記パッケージを配置するステップとを備える、請求項１４に記載の方法。
【請求項２０】
更に、上記ハウジングに関して、上記引掛け部材を展開させるステップの前に、遠隔的に武装させるステップを備える、請求項１４に記載の方法。
【請求項２１】
更に、上記引掛け部材を展開配置から収縮配置まで収縮するように形成されているアクチュエータを備える、請求項１に記載の装置。
【請求項２２】
更に、上記引掛け部材を収縮配置から展開配置まで展開するように形成されているアクチュエータが、上記引掛け部材を展開配置から収縮配置まで収縮するように形成されているアクチュエータを備えている、請求項２１に記載の装置。
【請求項２３】
更に、上記引掛け部材を収縮配置から展開配置まで展開するように形成されているアクチュエータが、上記引掛け部材を展開配置から収縮配置まで引き込むように形成されているアクチュエータを備えている、請求項２１に記載の装置。
【請求項２４】
上記機構が、さらに、個々のセットの引っ掛け部材を武装配置から安全配置まで引き込めるように形成されている、請求項９に記載のシステム。
【請求項２５】
上記引っ掛け部材が、選択的に露出される又は収縮されることができる、請求項１４に記載の方法。
【請求項２６】
上記引掛け部材は、上記収縮配置において、ハウジング内に完全に入れられている、請求項１に記載の装置。
【請求項２７】
上記引掛け部材は、上記収縮配置において、ハウジング内に部分的に入れられている、請求項１に記載の装置。
【発明の詳細な説明】
【技術分野】
【０００１】
本発明は、一般的に、陸上車両の移動に影響を及ぼすための装置、システム及び方法に関する。特に、本発明開示は、車両の１つ或いは２つ以上のタイヤを絡ませることによって、自動車を、選択的に妨げ、拘束し及び/或いは動けなくするための装置、システム及び方法に関する。
【背景技術】
【０００２】
従来の陸上車両の移動を減速させ、できないようにさせ、動けなくさせ及び/又は制限するための装置は、バリアー、タイヤスパイクストリップ、鉄菱、わな及び電気システム無能力化装置を含む。例えば、従来のスパイクストリップは、巻き上げ装置又はアコーディオン式装置のいずれかのように収容されている延伸される基部構造から上方に突出するスパイクを含む。これらの従来のスパイクストリップは、近づいてくる対象車両がそのスパイクストリップを乗り越えて走ると予測される道路上に巻き広げられ或いは折り広げられ、且つ設置される。従来のスパイクストリップを対象車両の進路に成功裡に設置することによって、対象車両の１つ或いは２つ以上のタイヤがそのスパイクによって刺し貫かれ、それによってタイヤの空気が抜ける結果となる。これによって、ドライバーが車両のコントロールを維持するのを難しくさせ、人の怪我及び/又は物の損傷をもたらす結果となる。
【発明の概要】
【０００３】
従来の装置は、最初の応答職員、法執行職員、武装した軍事要員又は他の警備職員によって使用される。これらの装置を展開するときに、これらの職員がごく接近した状態で残っていなければならない場合が頻繁にある。例えば、従来のスパイクストリップを展開する方法は、これらの職員がスパイクストリップを近づいてくる対象車両の進路に放り投げることである。この従来の方法は、対象車両のドライバーが警備職員を引き倒そうとする可能性或いはスパイクストリップの周りを巧みに移動しようとして、ドライバーが対象車両のコントロールを失い、警備職員に衝突する可能性がある限り、警備職員を危険にさらす。さらに、１つのみのステアリングタイヤから急速に空気を抜くことによって対象車両を乱暴に片方に傾きながら走らせ且つ近くの警備職員、傍観者又は構造物に衝突する可能性がある。
【０００４】
従って、従来の装置には、これらの装置を対象車両の進路に展開する困難性及び/或いはこれらの装置を展開する或いは引き込める間の警備職員に対する危険性を含む多数のデメリットがある。また、車両がこれらの装置に遭遇するときに警備職員が対象車両に接近することによって、警備職員はこの車両によって衝突される危険性にさらされる。さらに、これらの装置は、能力が限定されており、対象車両と選択的に係合し且つ他の車両を安全に通過させる能力を有していない。
【図面の簡単な説明】
【０００５】
【図１Ａ】本発明の実施形態による第１実施形態の車両固定装置を示す概略図である。
【図１Ｂ】図１Ａに示す本発明の第２形態の車両固定装置を示す概略図である。
【図２】図１Ａ及び図１Ｂに示す装置を用いる車両を動けなくさせるための本発明の実施形態による方法の概略図である。
【図３Ａ】本発明の別の実施形態による車両を動けなくする装置を示す概略図である。
【図３Ｂ】図３Ａの車両を動けなくする装置を示す平面図である。
【図４Ａ】本発明のさらに別の実施形態による第１形態の車両を動けなくする装置を示す概略図である。
【図４Ｂ】図３Ａに示す車両を動けなくする装置の第２実施形態を示す概略図である。
【図４Ｃ】図３Ａに示す車両を動けなくする装置の第３実施形態を示す概略図である。
【図５】本発明のさらなる実施形態による車両を動けなくする装置の斜視図である。
【図６Ａ】本発明のさらなる他の実施形態による車両を動けなくする装置の第１斜視図である。
【図６Ｂ】図６Ａに示す車両を動けなくする装置の第２斜視図である。
【図６Ｃ】図６Ａに示す車両を動けなくする装置の第３斜視図である。
【発明を実施するための形態】
【０００６】
本発明による実施形態が、多数の特定の実施形態の詳細な説明を完全に理解し且つ実施可能にできるように下述に開示されている。種々の実施形態の多数の特定の詳細は、舗装された路面と係合するタイヤを有する車両を動けなくする装置に関して以下に記述されるが、本発明の実施形態は、特徴物（例えば、軌道）と係合する他の地面及び他のタイプの地勢（例えば、ダート、砂礫及び他の非舗装面）で用いられてもよい。いくつかの実施例では、周知の構造又は操作は、添付した明細書と関連する発明主題の目的を不明確にすることを避けるために、図示されず、或いは、詳細に記述されていない。例えば、車輪は、一般的には、この車輪上に取付けられたタイヤを有する車輪を指している。しかしながら、当業者は、本発明が追加の実施形態を有することができ、或いは、本発明が図示され且つ記述されるような１つ又は２つ以上の特定な詳細の実施形態を超えて実施することができることを理解するだろう。
【０００７】
本発明の観点は、概して、回転する車輪を含む車両の移動に影響を及ぼすための装置に関する。実施形態の１側面は、回転する車輪がハウジングを横切るように車輪の進路内に配置されるように形成されたハウジングと、収縮された配置と展開された配置とを有する膜部と、膜部に連結された引掛け部材とを含む装置に関する。膜部は、収縮された配置においてハウジング内に配置され、且つ、展開された配置において車輪の周りに巻きつくように形成されている。引掛け部材が、膜部の収縮配置において、車輪を引掛けるように形成されている。
【０００８】
本発明の他の側面は、概して、第１回転車輪及び第２回転車輪を含む車両の移動に影響を及ぼすためのシステムに関する。実施形態の１側面は、第１回転車輪及び第２回転車輪がハウジングを横切るように車輪の進路内に配置されるように形成されたハウジングと、収縮配置と延伸配置とを有する第１膜部及び第２膜部と、第１膜部及び第２膜部にそれぞれ連結された第１セットの引掛け部材及び第２セットの引掛け部材と、安全配置から武装配置まで個々のセットの引掛け部材を展開させるように形成されている安全/武装機構とを含む。第１膜部は、その収縮配置においてハウジング内に配置され、且つその展開配置において第１車輪の周りに巻きつくように形成されている。第２膜部は、その収縮配置においてハウジング内に配置され、且つその展開配置において第２車輪の周りに巻きつくように形成されている。個々のセットの引掛け部材は、収縮配置と展開配置の間で個々の膜部をハウジングから引き出すように形成され、且つ個々の引掛け部材は、安全配置においてハウジングによって概ね隠され、且つ武装配置においては露出されている。
【０００９】
本発明のさらに他の側面は、概して、回転する車輪を含む車両の移動に影響を及ぼすための方法に関する。実施形態の１側面は、回転する車輪がハウジングを横切るように車輪の進路内にハウジングを配置することを含み、ハウジングは、膜部及び膜部に連結された引掛け部材を収容し、引掛け部材をハウジングに対して露出させること、引掛け部材を回転する車輪と係合させること、及び膜部を回転する車輪の周りに絡ませることを含む。
【００１０】
本発明による或る実施形態は、車両が進路に沿って走るとき、移動する車両の選択された車輪を絡ませ、車両を抑止させ、拘束し或いは動けなくさせる車両拘束システムを含む。車両拘束システムは、対象車両の進路において、地中に又は路上に据え付けられ或いは他に設置されているハウジングを含んでいる。例示の実施形態では、車両がハウジングを乗り越えて走行するとき、車両の前輪は、ハウジングから施された膜部によって引掛けられ、前輪の回転中に、前輪の周りに巻きつくようになり、一方、車両の後輪は、ハウジングから施される第２膜部によって引掛けられ、後輪の回転中に巻きつくようになる。前輪及び後輪の両方が第１膜部及び第２膜部と絡むと、対象車両は減速して停止する。これは、車両への恒久的な損傷又は車両のドライバーへの傷害をこうむらせることなしに達成できる。
【００１１】
本発明による他の或る実施形態は、道路の幅を横方向に横切る少なくとも一部分に延びる隆起部として形成されるハウジングを含む。ハウジングから施される膜部は、車両のタイヤの周りに纏わらされて車両のタイヤをわなに引掛ける又は絡ませるために十分な強度のものである網状又は織物のような材料を含む。ハウジングは、近づいてくる対象車両の前部タイヤ及び/又は後部タイヤとそれぞれに係合するための第１網状サブシステム及び/又は第２網状サブシステムを含む。対象車両の前部タイヤがハウジングを乗越えて走行するとき、網状/織物のような材料が、ハウジング内の第１網状サブシステムから施され、車両の前部タイヤと係合し、回転中の前部タイヤをわなにかける又は絡ませる。同様に、対象車両の後部タイヤがハウジングを乗越えて走行するとき、網状/織物のような材料が、ハウジング内の第２網状サブシステムから施され、車両の後部タイヤと係合し、回転中の後部タイヤをわなにかける又は絡ませる。いったん両方のセットのタイヤが絡められると、車両が前輪駆動、後輪駆動、或いは全輪駆動であるかにかかわらず、車両は減速して停止する。在る実施形態では、車両を動けなくさせる装置は、例えば前輪駆動、後輪駆動、或いは他の車輪駆動のような車両車輪形態に応じて対象車両の前輪又は後輪のいずれかをわなにかける又は絡ませるような識別構成要素を含んでもよい。
【００１２】
ハウジングは、例えば”スピードバンプ”（また、”スピードハンプ”、”ロードハンプ”、”スリーピングポリスマン”とも称される）のような路面上にわずかに丸く出っ張った道路隆起部として形成されてもよい。変形例として、ハウジングは、道路において一部切り取った部分中に取り付けられ、及び歩道との排水部に設置されるように形成されてもよい。いずれの方法においても、ハウジングは、車両を動けなくさせる能力が近づいてくる車両の運転者から見えないように隠されているように形成されている。
【００１３】
本発明による他の実施形態は、武装及び非武装を選択できるシステムを含んでいる。非武装状態とされた場合、システムは、従来のスピードバンプに良く似て、車両が重大な結果を受けることなしにハウジングを乗り越えて走行することができる”スリープ”或いは”非作動”モードで設置されている。しかしながら、システムが武装状態にされた場合、システムがハウジングを乗り越えて走行する次の車両のタイヤを引掛ける。在る実施形態では、下述のように、システムは、車両センサー及び/又はオペレータ制御装置からの有線又は無線通信を介して武装状態及び武装解除状態を遠隔的に選択することができる。
【００１４】
本発明による他の実施形態は、２つの開口を有するハウジングを含み、第１及び第２の網状/織物のような材料生地が、例えば開口ごとに１つの網のように、その２つの開口を通って施される。網状/織物のような材料は、逆とげ、スパイク、釘或いは他のタイプの引掛け部材が、その材料に添付され又はその材料と組合されたセクションを含み、車両のタイヤがハウジング内の開口を乗越えて走るとき、そのセクションが車両のタイヤと係合する。システムが武装作動状態にされ、さらに対象車両が検出された場合、第１網状/織物状材料の引掛け部材が、前輪がハウジング上部内の第１開口を乗越えて走行するとき、ハウジングの上面から外側に突出するように配置されている。これによって車両の前輪を引掛けた状態にさせる。前輪が回転し続けるとき、第１網状/織物状材料が回転する車輪によって引かれ、この材料をハウジング内から引き出し、回転する前輪の周りに巻き付けさせる。同様に、第2網状/織物状材料用の引掛け部材は、後輪がハウジング上部内の第２開口を乗越えて走行するとき、ハウジングの上面から外側に突出するように配置され、後輪をスパイク/逆とげによって引掛け状態にさせ、第2網状/織物状材料をハウジングから施させ、回転する後輪の周りに絡み付かせた状態にさせる。
【００１５】
本発明に記載されるような発明の主題は、２つのセットの網状/織物状材料を利用するシステムに限定されるものではない。変形実施形態では、車両を動けなくするシステムは、前輪セットのみ、又は後輪セットのみと係合する網状/織物状材料を含んでもよい。さらに他の変形実施形態では、網状/織物状材料は、車両の１方の側の前輪と後輪の両方をわなにかける又は絡ませるように寸法決めされ且つ形成されてもよい。さらに、２つのセットの網状/織物状材料が用いられる実施形態では、ハウジングは、両方のセットが同じ開口から連続して施されるように形成されてもよい。さらに他の実施形態では、第１の網状/織物状材料が前輪用に用いられ、第１のものと異なる網状/織物状材料が後輪用に用いられてもよい。
【００１６】
図１Ａ及び図１Ｂは、本発明の実施形態による異なる形態の車両を動けなくする装置を示す概略図である。特に、図１Ａは、第１形態すなわち詰め込まれた形態の車両を動けなくする装置１００を示し、そして、図１Ｂは、第２形態すなわち展開された形態の車両を動けなくする装置１００を示す。図１Ａに示す詰め込まれた形態では、車両を動けなくする装置１００は、スピードバンプ１の形態にパッケージされ又はスピードバンプ１に収容されることができる。２シリーズの引掛け部材、例えば、タイヤスパイク２及び３は、詰め込まれた形態においてスピードバンプ１の内側に配置されている。個々の引掛け部材の材料、サイズ及び形状が、車両が車両を動けなくする装置１００上を乗越えて走行するときに、装置１００でタイヤ中に突き通し、タイヤに食いついて引掛け、及び/或いはタイヤを通り抜けて貫通するように選択できる。
【００１７】
また、パッケージされたわな掛け部材４及び５が、詰め込み形態でスピードバンプ１の内側に配置され、それぞれ、シリーズのスパイク２及び３に連結されている。個々のわな掛け部材は、タイヤの周りに巻きつくための、わな掛けネット、織成膜、これらの組合せ、或いは他の適当な部材を含む。例えば、わな掛け部材用の材料は、ポリエチレン、ケブラー（登録商標）、或いは適当な強度且つ可撓性を有する他の材料を含むことができ、スピードバンプ１の内側にパッケージできる繊維又はフィルム形状に形成されてもよい。本発明の実施形態によると、個々のわな掛け部材の長さは、動けないようにしようとする車両のタイヤの少なくともほぼ外周の長さである。例えば、直径が３３インチを有するタイヤについては、わな掛け部材４及び５の長さは、少なくともほぼ９０インチである。また、個々のわな掛け部材のサイズ及び形状は、動けなくしたい車両の予想されるサイズ及び潜在的な速度に基づいて変更できる。個々のわな掛け部材は、スピードバンプ１からのわな掛け部材の速度及び引き出しを制御するように、スピードバンプ１内において、例えば、蛇腹式に折りたたまれ、巻かれ、或いはこれらの組合せによってパッケージされることができる。
【００１８】
図１Ｂに示す第２形態すなわち部分的に展開された形態の車両を動けなくする装置１００では、露出したスパイク６がスピードバンプ１の外側に配置されている。１連のスパイク３のうちの１つであるこのスパイク６は、アクチュエータ１０を用いて、爆発点火的(火工法的)に、機械的（例えば、ばねにより弾性的に付勢される）に、電気的に、空気的に、或いはいかなる他の適当な技術によって、展開される。図１Ｂに示す実施形態では、スピードバンプ１の内側に配置されている膨張可能な空気袋１０は、スパイク６を空気的に展開させるために使用されている。他の実施形態によると、スパイクが、並進、旋回、これらの組合せ、又はいかなる他の適当な移動形態を含む種々の運きによって展開されてもよい。
【００１９】
さらに、車両を動けなくする装置１００を用いて車両を動けなくさせるための本発明の実施形態による方法を示す図２を参照すると、タイヤＴが、初期に展開されたスパイク６の上を乗越えて転がり、スパイク６がタイヤＴ中に突き通り且つタイヤＴにつかまり引掛かるようになる。図２に示すような第３形態すなわち完全に展開された形態では、引掛かったスパイク８が、詰め込まれた形態においては予めパッケージされていたわな掛け部材４であったわな掛け部材９を折り広げ、巻き戻させ、さもなければ引き出している。また、完全に展開した形態では、スパイク２のシリーズからのスパイク７が展開され、引き続いて、リアタイヤ（図示せず）のような第２のタイヤに突き通り且つ食いついて引掛かるようになる。スパイク７は、スパイク６の方法と同様の方法においてアクチュエータによって展開される。
【００２０】
図３Ａ及び図３Ｂは、本発明の別の実施形態による車両を動けなくする装置２００を示す概略図である。図１Ａ及び図１Ｂに示す実施形態と比較して、両方のシリーズのスパイクが、スピードバンプ１の前面（リーディング面）に配置されている。すなわち、展開されたスパイク１４が、車両を動けなくする装置２００上を乗越えて転がるタイヤ（図示せず）によって接触され且つ登られる最初の面からすぐ引き続いて突出するようにスピードバンプ１の内側に配置されている。図３Ｂに示す実施形態では、スパイク１４は、また、スピードバンプ１の表面の壊れやすいシーム部１１を通って展開されてもよい。
【００２１】
図４Ａ乃至図４Ｃは、本発明のさらに別の実施形態による車両を動けなくする装置３００を示す。図４Ａに示す詰め込まれた形態では、シリーズのスパイクセット１２が、スピードバンプ１の内側に配置（閉鎖配置）されている。本発明による他の実施形態におけるように、個々のスパイクセット１２が、複数の逆とげを含むことができる。例えば、各スパイクセット１２について２つの逆とげが図４Ａ乃至図４Ｃに示されている。図４Ｂに示す部分的に展開された形態では、第１カバー１３が１シリーズのスパイクセット１２を露出させるように作動されている。本発明による他の実施形態におけるように、個々のカバー１３が、火工法的に、機械的に、電気的に、空気的に、或いはいかなる他の適当な技術によって、作動されてもよい。図４Ｃに示す完全に展開された形態では、第２カバー１３がもう１つのシリーズのスパイクセット１２を露出させるように作動されている。従って、２つのスパイクセットの連続的な露出がカバー１３の２段階開放によって達成されている（開放配置）。
【００２２】
図５は、本発明のさらなる実施形態による車両を動けなくする装置３５０の斜視図である。車両を動けなくする装置３５０は、移動、取付け、除去及び再配置を容易にするように巻きつけられて示されている。留め具３６０は、車両を動けなくする装置３５０を道路表面、例えばアスファルト、コンクリート又は他の適当な堅い面に安定的に配置させるために用いられる。他の実施形態では、車両を動けなくする装置３５０は、ハウジング（図示せず）内に配置されることができる。例えば、車両を動けなくする装置３５０は、この装置３５０がそこを通って作動する壊れやすいシーム部を有するスピードバンプのように形作られた再生可能なハウジング内に配置されてもよい。
【００２３】
図６Ａ乃至図６Ｃは、本発明のさらなる実施形態による車両を動けなくする装置４００の詰め込まれた形態の斜視図である。特に、図６Ｂ及び図６Ｃは、適当な環境に配置されている、車両を動けなくする装置４００を示す。図６Ｃでは、車両を動けなくする装置４００を展開するためのセンサー５００が、展開する装置４００の前方に配置されている。
【００２４】
センサー５００は、車両（図示せず）の存在を測定するために使用される。例えば、センサー５００が、質量、熱、音、電磁場、振動、動き又は他の適当な物性を含む、車両の１つ或いは２つ以上の特性の存在を測定できる。車両の存在を測定したとき、センサー５００は、車両を動けなくする装置１００、２００、３００又は４００のうち１つを部分的に展開された形態、例えば、アクチュエータ１０を作動させ、車両を動けなくする装置１００から第１シリーズのスパイク６を展開させる形態、に形を変更させることができる。
【００２５】
本発明の他の実施形態によると、個々のセンサーを、スピードバンプ１上に或いはスピードバンプ１の内側に配置することができる。例えば、圧力センサーは、スピードバンプ１の先頭縁に配置でき且つ、車両（図示せず）によって押しつぶされるとき、空気信号を空気アクチュエータに送る膨張した空気袋（図示せず）を含む。変形例として、近接センサーが電気信号を点火爆発アクチュエータに送信し、又は他の適当なセンサーが対応する適当なアクチュエータに合図を伝えることができる。
【００２６】
車両を動けなくする装置を実行するための本発明の実施形態による方法を開示する。車両を動けなくする装置１００、２００、３００又は４００が、検問所、入場ゲート又は車両通行を遮ることが望ましいいかなる他の場所で、”停止ゾーン”の前に位置決めされる”判定ゾーン（decision zone）”に位置決めされる。その位置に近づいてくる車両は、一般的に減速し、車両が判定ゾーンにおける停止位置に来るとき、その位置に配置された警備職員が、車両を取り調べる機会を有することができる。友好的な車両は、典型的に、判定ゾーンを通過し且つ停止ゾーンを迂回することが許可される。車両が判定ゾーンにおいての取調べのために停止しない場合に、警備職員が、車両を動けなくする装置１００、２００、３００又は４００を選択的に武装作動させることができ、車両が例えば、車両を動けなくする装置１００を乗り越えて進んでいく前に、センサー例えばセンサー５００がスパイク６を展開させる。車両が、車両を動けなくする装置１００を乗り越えて進んでいくとき、スパイク６が、車両の先頭のタイヤに貫通し且つ食いついて引掛かる。車両が進み続けるとき、タイヤによってわな掛け部材９がスピードバンプ１から外側に引き出され、そしてわな掛け部材９が回転するタイヤの周りに巻きつき且つ絡まるようになっている。次に、スパイク７が、スピードバンプ１から外側に展開され、且つ車両の後続タイヤに貫通し且つ食いついて引掛かる。車両が進み続けるとき、わな掛け部材５は、スピードバンプ１から外側に引き出され、回転する後続タイヤの周りに巻きつき且つ絡まるようになっている。次いで、絡まったわな掛け部材は、車両の下部台車に対する影響力がタイヤを停止状態に至らせるまで、巻きつき続ける。従って、車両は制御され且つ致命的でない方法において減速され且つ停止させられる。
【００２７】
本発明による、他の実施形態は、後続タイヤスパイクを展開するための種々の特徴を含む。例えば、車両を動けなくする装置１００、２００、３００又は４００のうち１つを乗り越えて転がる先頭タイヤと後続タイヤとの間にかかる時間よりも少ない時間の経過後に、スパイク７を展開することができる。例えば、高性能論理タイミング装置が、スパイク６の展開に続いて、例えば、おおよそ１００ミリセカンド以下の時間後にスパイク７を展開させるために用いられてもよい。また、後続タイヤスパイクは、先頭のタイヤによってわな掛け部材が一定長さ引き出されるときに又は、後から続くタイヤと車両を動けなくする装置１００、２００、３００又は４００との接触に基づいて展開することもできる。スパイクが、先頭タイヤが車両を動けなくさせる装置を乗り越えて回転した後、且つ後続タイヤが車両を動けなくさせる装置上に転がる前に展開されるのに適している他の技術が用いられてもよい。
【００２８】
本発明によると、さらに他の実施形態は、スピードバンプの空気を抜くこと或いは他にスピードバンプを加圧することによってスパイクを展開させ、スパイクを露出させることができる。従って、先頭タイヤが、例えば車両を動けなくする装置１００の第１部分から空気を抜き、スパイク６を露出させ且つ係合させ、さらに、後続タイヤが車両を動けなくする装置１００の第２部分から空気を抜き、スパイク７を露出させ且つ係合することもできる。
【００２９】
本発明によると、さらに他の実施形態は、選択された位置又は通行路で交通の進路に配置されるよう意図された運搬可能スピードバンプの形態においてパッケージされ又はこれに収容された車両を動けなくする装置を含んでもよい。スピードバンプは、また、交通を減速させるために特定の車両の運転者に知られずに用いることができ、スピードバンプは、また、車両の乗員の損害及び危険性を最小にしながら、特定の車両を選択的に動かないようにできる。
【００３０】
本発明によると、車両を動けなくする装置の他の実施形態は、特定車両を見越して遠隔的に武装されることができる。特定の車両がスピードバンプに接近するとき、逆とげをつけられたスパイクが、スピードバンプから展開され、一連のわな掛け事象を開始させることができる。さらに、車両を動けなくする装置を、車両がスピードバンプに到達する前に遠隔的に武装解除することもできる。いったん武装解除すると、車両を動けなくする装置は、交通を単に減速させるための従来のスピードバンプとして再び使用することができる。
【００３１】
本発明によると、また、車両を動けなくする装置のさらなる実施形態は、道路或いは歩道上の道路勾配等に永久的に又は半永久的に収容されてもよく、上述の方法により遠隔的に又は直接に作動されてもよい。本発明の他の実施形態によると、個々のわな掛け部材は、例えば火工爆発によってハウジングから車両のタイヤに向かって発射されても良い。
【００３２】
本発明のさらなる実施形態によると、スパイクは、わな掛け部材の縁の近く、わな掛け部材の網接合部（例えば、結び目）で、わな掛け部材に連結されてもよく、或いはわな掛け部材の表面の全面にわたって分布されていてもよい。裏当て層又は二重層が、スパイクをわな掛け部材の構造上のストランドに連結するために用いられてもよい。
【００３３】
本発明のさらなる実施形態によると、スパイクは、ばねを有して、スピードダンプのハウジングに対して装填され或いは他に付勢されていてもよい。従って、アクチュエータによってばね要素又は付勢要素を解放することによって、スパイクを展開させることができる。
【００３４】
本発明によるさらなる実施形態は、電気を車両を動かなくさせる装置に供給するバッテリー又はソーラーセルと、バッテリー充電の状態及び車両を動けなくさせる装置が武装されているかどうかの状態を示す計器、車両を動けなくさせる装置の操作状態を評価する自己診断装置、車両を動けなくさせる装置を適当な距離から遠隔的に武装作動させるための無線或いは有線コントローラとを含むことができる。さらに、本発明による実施形態は、車両を動けなくさせる装置を乗り越えて通り過ぎる重量のある車両に耐えるための補強を含み、或いは水又は砂のようなさまざまな環境に対する露出から車両を動けなくさせる装置を保護するための特徴部を含んでもよい。さらに、本発明による実施形態は、地勢により寸法決めでき、例えば、単一通行レーン又は２本以上の通行レーンを横切って延びるように、車両を動けなくさせる装置を施行してもよい。
【００３５】
前述から、本発明の特定の実施形態は、例示の目的のために開示されているが、さまざまな修正が本発明の思想及び範囲から外れることなくなされてもよいことが理解される。従って、本発明は特定の実施形態により限定されるものではない。
【図１Ａ】
0005583675.tif 000002
【図１Ｂ】
0005583675.tif 000003
【図２】
0005583675.tif 000004
【図３Ａ】
0005583675.tif 000005
【図３Ｂ】
0005583675.tif 000006
【図４Ａ】
0005583675.tif 000007
【図４Ｂ】
0005583675.tif 000008
【図４Ｃ】
0005583675.tif 000009
【図５】
0005583675.tif 000010
【図６Ａ】
0005583675.tif 000011
【図６Ｂ】
0005583675.tif 000012
【図６Ｃ】
0005583675.tif 000013